(57)【特許請求の範囲】
【請求項１】
外殻を構成するフレームの前面から突出する回転軸を有し、床面に固定され、前記回転軸が突出する方向と同じ方向に略平行に延びる一対のチャンネル状のベース部材に前記フレームの底部の両翼が載置される電動機を移動させて、前記回転軸と被回転軸とを軸合わせする電動機の位置決め機構であって、
一対の前記ベース部材に対して、前記回転軸が突出する方向と同じ方向に前記フレームを移動させる第１移動手段と、
一対の前記ベース部材に対して、前記回転軸が突出する方向と略直交する方向に前記フレームを移動させる第２移動手段と、を備え、
前記第１移動手段は、
前記フレームの前面及び後面から離隔して一対の前記ベース部材に固定され、前記フレームの前面及び後面に向かって貫通した第１雌ねじ穴を形成した一対一組の第１固定部材と、
前記第１雌ねじ穴に螺合し、先端部が前記フレームの前面又は後面に当接可能な第１調整ボルトと、を含み、
前記第２移動手段は、
前記フレームの前面及び後面に固定され、対向する第２雌ねじ穴を形成した一対一組の第２固定部材と、
前記第２雌ねじ穴に螺合し、先端部が一対の前記ベース部材の対向する側面に当接可能な第２調整ボルトと、を含み、
前記第１固定部材は、一片が前記ベース部材の上面に固定され、前記第１雌ねじ穴を他片に形成した第１アングル部材を含み、
前記第２固定部材は、一片が前記フレームの前面及び後面に溶接され、前記第２雌ねじ穴を他片に形成した第２アングル部材を含み、
前記フレームの前方又は後方に、一対の前記第２調整ボルトの頭部が配置されている、電動機の位置決め機構。
【請求項２】
前記第２雌ねじ穴は、前記第２アングル部材の他片に溶接されたナットの中央部に形成された雌ねじを含んでいる請求項１記載の電動機の位置決め機構。
【発明の詳細な説明】
【技術分野】
【０００１】
本発明は、電動機の位置決め機構に関する。特に、大形の押込送風機などのファン軸と連結するために、大形の電動機の回転軸を位置決めする機構に関する。
【背景技術】
【０００２】
例えば、微粉炭を燃料とする火力発電所は、石炭を粉砕して微粉炭を製造するミル（微粉炭機）を備えている。そして、ミルで製造された微粉炭をボイラの火炉内へ移送すると共に、燃焼空気をボイラの火炉内の送りこむため、大形の押込送風機（ＦＤＦ：Ｆｏｒｃｅｄ  ｄｒａｆｔ  ｆａｎ）をミルに接続していることが知られている（例えば、特許文献１参照）。
【０００３】
又、このような大形の押込送風機に備わるプロペラファンを回転させるために、プロペラファンのファン軸と連結する回転軸を有する大形の電動機が用いられている。例えば、このような大形の電動機は、床面に打ちこまれたアンカーボルトで固定され、略平行に延びる一対のチャンネル状のベース部材上に設置されている（例えば、特許文献２参照）。
【先行技術文献】
【特許文献】
【０００４】
【特許文献１】特開２００８−１５７５４５号公報
【特許文献２】特開２０１２−７８９号公報
【発明の概要】
【発明が解決しようとする課題】
【０００５】
上述した大形の電動機は、例えば、１トン程度の重量を有している。したがって、押込送風機のファン軸と電動機の回転軸を連結するために、電動機を移動することが容易でなかった。従来は、電動機の外殻（フレーム）に緩衝部材を介してハンマで叩いて、電動機を移動して、押込送風機のファン軸と電動機の回転軸を軸合わせしていた。
【０００６】
しかしながら、ハンマを用いて電動機を移動させる作業は、労力を要すると共に、電動機を損傷させる心配があった。大形の電動機を前後方向（回転軸が突出する方向と平行する方向）と左右方向（回転軸が突出する方向と直交する方向）に容易に移動できる、位置決め機構が求められていた。そして、以上のことが本発明の課題といってよい。
【０００７】
本発明は、このような課題に鑑みてなされたものであり、大形の電動機をその前後方向と左右方向に容易に移動できる、電動機の位置決め機構を提供することを目的とする。
【課題を解決するための手段】
【０００８】
本発明者は、電動機が載置されるベース部材に支持され、電動機の前面及び後面に当接して、電動機をその前後方向に移動させる第１調整ボルトと、電動機の前面及び後面に支持され、ベース部材に当接して、電動機をその左右方向に移動させる第２調整ボルトとで、位置決め機構を構成することにより、電動機の移動が容易になると考え、これに基づいて、以下のような新たな電動機の位置決め機構を発明するに至った。
【０００９】
（１）本発明による電動機の位置決め機構は、外殻を構成するフレームの前面から突出する回転軸を有し、床面に固定され、前記回転軸が突出する方向と同じ方向に略平行に延びる一対のチャンネル状のベース部材に前記フレームの底部の両翼が載置される電動機を移動させて、前記回転軸と被回転軸とを軸合わせする電動機の位置決め機構であって、一対の前記ベース部材に対して、前記回転軸が突出する方向と同じ方向に前記フレームを移動させる第１移動手段と、一対の前記ベース部材に対して、前記回転軸が突出する方向と略直交する方向に前記フレームを移動させる第２移動手段と、を備える。
【００１０】
（２）前記第１移動手段は、前記フレームの前面及び後面から離隔して一対の前記ベース部材に固定され、前記フレームの前面及び後面に向かって貫通した第１雌ねじ穴を形成した一対一組の第１固定部材と、前記第１雌ねじ穴に螺合し、先端部が前記フレームの前面又は後面に当接可能な第１調整ボルトと、を含み、前記第２移動手段は、前記フレームの前面及び後面に固定され、対向する第２雌ねじ穴を形成した一対一組の第２固定部材と、前記第２雌ねじ穴に螺合し、先端部が一対の前記ベース部材の対向する側面に当接可能な第２調整ボルトと、を含んでいることが好ましい。
【００１１】
（３）前記第１固定部材は、一片が前記ベース部材の上面に固定され、前記第１雌ねじ穴を他片に形成した第１アングル部材を含み、前記第２固定部材は、一片が前記フレームの前面及び後面に溶接され、前記第２雌ねじ穴を他片に形成した第２アングル部材を含んでもよい。
【００１２】
（４）前記第２雌ねじ穴は、前記第２アングル部材の他片に溶接されたナットの中央部に形成された雌ねじを含んでもよい。
【発明の効果】
【００１３】
本発明による電動機の位置決め機構は、電動機が載置されるベース部材に支持され、電動機の前面及び後面に当接して、電動機をその前後方向に移動させる第１調整ボルトと、電動機の前面及び後面に支持され、ベース部材に当接して、電動機をその左右方向に移動させる第２調整ボルトとで、位置決め機構を構成しているので、電動機をその前後方向と左右方向に容易に移動できる。
【図面の簡単な説明】
【００１４】
【図１】本発明の一実施形態による電動機の位置決め機構の構成を示す斜視図であり、電動機を前面側から観た状態図である。
【図２】前記実施形態による電動機の位置決め機構の構成を示す平面図である。
【図３】前記実施形態による電動機の位置決め機構の構成を示す背面図である。
【図４】前記実施形態による電動機の位置決め機構の要部を拡大した斜視図である。
【発明を実施するための形態】
【００１５】
以下、図面を参照して本発明を実施するための形態を説明する。
［電動機の位置決め機構の構成］
最初に、本発明の一実施形態による電動機の位置決め機構の構成を説明する。図１は、本発明の一実施形態による電動機の位置決め機構の構成を示す斜視図であり、電動機を前面側から観た状態図である。
【００１６】
図２は、前記実施形態による電動機の位置決め機構の構成を示す平面図である。図３は、前記実施形態による電動機の位置決め機構の構成を示す背面図である。図４は、前記実施形態による電動機の位置決め機構の要部を拡大した斜視図である。
【００１７】
（全体構成）
図１から図３を参照すると、本発明に係る電動機７は、直方体状のフレーム７ｆと回転軸７ｓを備えている。フレーム７ｆは、電動機７の外殻を構成している。回転軸７ｓは、フレーム７ｆの前面７１から突出している。又、電動機７は、床面ＦＬに固定された一対のチャンネル状のベース部材８・８にフレーム７ｆの底部の両翼が載置されている（図３参照）。
【００１８】
図１又は図２を参照すると、ベース部材８は、床面ＦＬに埋め込まれたアンカーボルト８ｂで固定されている。そして、一対のベース部材８・８は、回転軸７ｓが突出する方向と同じ方向に略平行に延びている。一対のベース部材８・８に対して、電動機７を移動することで、回転軸７ｓと被回転軸９ｓとを軸合わせできる。
【００１９】
（位置決め機構の構成）
次に、本発明の一実施形態による電動機の位置決め機構の構成を説明する。図１から図４を参照すると、実施形態による電動機の位置決め機構（以下、位置決め機構と略称する）１０は、第１移動手段Ｍ１と第２移動手段Ｍ２を備えている。
【００２０】
図２を参照すると、第１移動手段Ｍ１は、一対のベース部材８・８に対して、回転軸７ｓが突出する方向と同じ方向にフレーム７ｆを移動させることができる。第２移動手段Ｍ２は、一対のベース部材８・８に対して、回転軸７ｓが突出する方向と略直交する方向にフレーム７ｆを移動させることができる。
【００２１】
図１から図４を参照すると、第１移動手段Ｍ１は、第１固定部材１ａと第１調整ボルト１ｂを含んでいる。第１固定部材１ａは、フレーム７ｆの前面７１及び後面７２から離隔して配置されている（図２参照）。そして、第１固定部材１ａは、一対のベース部材８・８に固定されている。又、第１固定部材１ａは、フレーム７ｆの前面７１及び後面７２に向かって貫通した第１雌ねじ穴１１ａを形成している。第１調整ボルト１ｂは、第１雌ねじ穴１１ａに螺合している。第１調整ボルト１ｂの先端部は、フレーム７ｆの前面７１又は後面７２に当接できる。
【００２２】
図１から図４を参照すると、第２移動手段Ｍ２は、第２固定部材２ａと第２調整ボルト２ｂを含んでいる。第２固定部材２ａは、フレーム７ｆの前面７１及び後面７２に固定されている。又、第２固定部材２ａは、対向する第２雌ねじ穴２１ａを形成している。第２調整ボルト２ｂは、第２雌ねじ穴２１ａに螺合している。第２調整ボルト２ｂの先端部は、一対のベース部材８・８の対向する側面に当接できる。
【００２３】
図１又は図４を参照すると、第１固定部材１ａは、一片１１と他片１２で略直角に形成されたアングル部材を含んでいる。第１固定部材１ａの一片１１は、ベース部材８の上面８ｕに固定されている。第１固定部材１ａの他片１２には、第１雌ねじ穴１１ａを形成している。
【００２４】
一方、図３又は図４を参照すると、第２固定部材２ａは、一片２１と他片２２で略直角に形成されたアングル部材を含んでいる。第２固定部材２ａの一片２１は、フレーム７ｆの前面７１及び後面７２に溶接されている。第２固定部材２ａの他片２２には、第２雌ねじ穴２１ａを形成している。
【００２５】
図２又は図４を参照すると、第２固定部材２ａの他片２２には、ナット２ｎを溶接している。そして、第２雌ねじ穴２１ａは、ナット２ｎの中央部に形成された雌ねじ（図示せず）を含んでいる。
【００２６】
［電動機の位置決め機構の作用］
次に、実施形態による位置決め機構１０の位置決め方法を説明しながら、位置決め機構１０の作用及び効果を説明する。
【００２７】
図１又は図２を参照して、フレーム７ｆの前面７１側に配置された一対の第１調整ボルト１ｂ・１ｂを一方の方向に回転して、これらの第１調整ボルト１ｂ・１ｂを進出させると共に、フレーム７ｆの後面７２側に配置された一対の第１調整ボルト１ｂ・１ｂを他方の方向に回転して、これらの第１調整ボルト１ｂ・１ｂを後退させると、図２の矢印Ｂの方向に電動機７を移動できる。
【００２８】
一方、図１又は図２を参照して、フレーム７ｆの後面７２側に配置された一対の第１調整ボルト１ｂ・１ｂを一方の方向に回転して、これらの第１調整ボルト１ｂ・１ｂを進出させると共に、フレーム７ｆの前面７１側に配置された一対の第１調整ボルト１ｂ・１ｂを他方の方向に回転して、これらの第１調整ボルト１ｂ・１ｂを後退させると、図２の矢印Ｆの方向に電動機７を移動できる。
【００２９】
このように、実施形態による位置決め機構１０は、一対一組の第１調整ボルト１ｂを回転することで、これらの第１調整ボルト１ｂが電動機７の前面７１又は後面７２に当接して、一対のベース部材８・８に対して、電動機７をその前後方向に移動できる。
【００３０】
図２又は図３を参照して、一方のベース部材８側に配置された一組の第２調整ボルト２ｂ・２ｂを一方の方向に回転して、これらの第２調整ボルト２ｂ・２ｂを進出させると共に、他方のベース部材８側に配置された一組の第２調整ボルト２ｂ・２ｂを他方の方向に回転して、これらの第２調整ボルト２ｂ・２ｂを後退させると、図２又は図３の矢印Ｒの方向に電動機７を移動できる。
【００３１】
一方、図２又は図３を参照して、他方のベース部材８側に配置された一組の第２調整ボルト２ｂ・２ｂを一方の方向に回転して、これらの第２調整ボルト２ｂ・２ｂを進出させると共に、一方のベース部材８側に配置された一組の第２調整ボルト２ｂ・２ｂを他方の方向に回転して、これらの第２調整ボルト２ｂ・２ｂを後退させると、図２又は図３の矢印Ｌの方向に電動機７を移動できる。
【００３２】
このように、実施形態による位置決め機構１０は、一対一組の第２調整ボルト２ｂを回転することで、これらの第２調整ボルト２ｂが一対のベース部材８・８の対向する側面８ｓに当接して、一対のベース部材８・８に対して、電動機７を相対的にその左右方向に移動できる。
【００３３】
実施形態による位置決め機構１０は、第１調整ボルト１ｂの頭部、又は第２調整ボルト２ｂの頭部をスパナなどで把持して回転することにより、電動機７を容易に移動できる。そして、例えば、押込送風機のファン軸と電動機の回転軸を連結するために、大形の電動機を移動することが容易になった。実施形態による位置決め機構１０は、従来の移動方法と比べ、労力を要さないと共に、電動機を損傷させる心配が無くなった。
【００３４】
本発明による位置決め機構は、押込送風機と連結される電動機に適用されるのみならず、あらゆる電動機に適用されることが期待される。
【符号の説明】
【００３５】
１ａ  第１固定部材
１ｂ  第１調整ボルト
２ａ  第２固定部材
２ｂ  第２調整ボルト
７  電動機
７ｆ  フレーム
７ｓ  回転軸
８・８  一対のベース部材
９ｓ  被回転軸
１０  位置決め機構（電動機の位置決め機構）
１１ａ  第１雌ねじ穴
２１ａ  第２雌ねじ穴
７１  フレームの前面
７２  フレームの後面
Ｍ１  第１移動手段
Ｍ２  第２移動手段
【図１】
0005602172.tif 000002
【図２】
0005602172.tif 000003
【図３】
0005602172.tif 000004
【図４】
0005602172.tif 000005